(57)【要約】      （修正有）【課題】装飾効果のあるピンバッジをトップボタンの代わりに止められるシャツに関し、首回りにネクタイやスカーフをしなくても衿元に華やかさを際立たせることができるようにしたシャツを提供する。【解決手段】シャツ本体１のトップボタンの取付位置と、これに対峙するボタン穴５の内側寄りにピンバッジのピンが挿通できるようにそれぞれピンホール４，５を設け、当該シャツ本体のピンホールの裏面にピン受け台座を覆う保護布片を取付け、トップボタン穴位置とボタン取付位置のピンホール４，５に挿通してシャツ本体１の裏側で受けるピン受け台座を保護布で覆うようにした構成。【選択図】図１
0003143461.tif 000002
【実用新案登録請求の範囲】
【請求項１】
シャツ本体(1)のトップボタンの取付位置と、これに対峙するボタン穴(5′)の内側寄りにピンバッジ(8)のピン(9)が挿通できるようにそれぞれピンホール(4)・(5)を設け、当該シャツ本体のピンホールの裏面にピン受け台座用の保護布片(7)を取付け、トップボタン穴位置とボタン取付位置のピンホール(4)・(5)に挿通してシャツ本体(1)の裏側で受けるピン受け台座(10)を保護布(7)で覆うようにしたことを特徴とするピンバッジをボタン代わりに取付けられるシャツ。
【請求項２】
開襟シャツ本体(1)の第２ボタン取付位置及びこれに対峙するボタン穴(5′)に相当する位置にピンバッジ(8)のピン(9)が挿通できるようにそれぞれピンホール(4)・(5)を形成し、且つボタン穴(5′)側のピンホール(5)の中心と当該ボタン穴(5′)より下位のボタン穴(6)の中心を同一線上に合わせ、シャツ本体(1)のボタン取付側ピンホール(4)の裏面にピン受け台座用保護布片(7)を取付け、ピンバッジのピン(9)をボタン穴位置とボタン取付位置のピンホール(4)・(5)に刺し通してシャツ本体(1)の裏側で受けるピン受け台座(10)を保護布片(7)で覆うようにしたことを特徴とするピンバッジをボタン代わりに取付けられるシャツ。
【考案の詳細な説明】
【技術分野】
【０００１】
この考案は、装飾効果のあるピンバッジを最上部ボタンの代わりに止められるシャツに関し、首回りにネクタイやスカーフをしなくても衿元に華やかさを際だたせることができるようにしたものである。
【背景技術】
【０００２】
一般にワイシャツ、カッターシャツ、ブラウス、開襟シャツ（開襟シャツ、アロハシャツ類）等の各シャツのボタンは、最上部から最下部まで同じ形状と同じ質で統一されているのが普通である。
ところで、従来からもシャツの最上部のボタン留め位置にファッション性を持たせたり、アクセントを付けることが行われている。
【特許文献１】特開２００７−    ７３４９号公開公報
【特許文献２】実開平０７  −００２４０３号公開公報
【特許文献３】実用新案登録第３１１０６９１号公報
【０００３】
特許文献１は、襟元ピンに関し、シャツボタン最上部のボタン穴を利用して装身具となる留め具で通常のボタン代わりにしている。
特許文献２は、シャツの止め具に関し、襟元のボタンの代わりに雄と雌のベルクロテープ(登録商標)で止着するシャツである。
特許文献３は、衣服に関し、最上部のボタン取付位置とボタン穴位置の内側に鉤ホックを取り付けた衣服である。
【考案の開示】
【考案が解決しようとする課題】
【０００４】
ところが、上記の特許文献1〜３の発明にあっては、いずれも、本来のボタン穴とボタンの位置での止め方ではない。その理由は、衿元を開けてもその衿元が乱れないようにすることと衿元の簡易な着脱を狙いとしていることによる。
【課題を解決するための手段】
【０００５】
そこでこの考案は、従来の課題を解決し、且つ考案の目的を達成するようにした。
【０００６】
この考案の第１はピンバッジをボタン代わりに取付けられるシャツにおいて、シャツ本体のトップボタンの取付位置と、これに対峙するボタン穴の内側寄りにピンバッジのピンが挿通できるようにそれぞれピンホールを設け、当該シャツ本体のピンホールの裏面にピン受け台座用の保護布片を取付け、トップボタン穴位置とボタン取付位置のピンホールに挿通してシャツ本体の裏側で受けるピン受け台座を保護布で覆うようにしたものである。
【０００７】
この考案の第２はピンバッジをボタン代わりに取付けられるシャツにおいて、開襟シャツ本体の第２ボタン取付位置及びこれに対峙するボタン穴に相当する位置にピンバッジのピンが挿通できるようにそれぞれピンホールを形成し、且つボタン穴側のピンホールの中心と当該ボタン穴より下位の縦長ボタン穴の中心を同一線上に合わせ、シャツ本体のボタン取付側ピンホールの裏面にピン受け台座保護布片を取付け、ピンバッジのピンをボタン穴位置とボタン取付位置のピンホールに挿通してシャツ本体の裏側で受けるピン受け台座を保護布片で覆うようにしたものである。
【考案の効果】
【０００８】
この考案は上記の構成であるから、次のような効果がある。すなわち、ワイシャツやブラウスの最上部の通常のボタン位置にピンバッジを刺し込んで装着できることにより、当該ボタン部位が位置ずれすることなく、軽い盛装ができるとともに軽装の中にも優雅さを発揮させることができる。
また、そのピンバッジをシャツの最上部のトップボタン位置に装着したときに当該ピンを受けるピン受け台座をシャツの裏側の隠れ布地で包むようにしてあるので直接肌に触れることなく違和感は生じない。
そして、ネクタイやスカーフを衿元に巻かなくても衿元や胸元付近を好みのピンバッジの装着で着飾ることができる。
続いて、ネクタイを好まない人や、ネクタイ愛好家の気分転換に役立つし、ワイシャツや、ブラウス及び開襟シャツ等の固定観念を変えることができる。
この場合、予め複数のピンバッジを携帯してもネクタイやスカーフのように嵩張らないので、人の集まる屋外の場所又は屋内会場や雰囲気等に応じて適宜に且つ素早く装着したり、交換して付け直すことができる。また、万一紛失したときにも予備のピンバッジを用意しておくことにより即座に付け替えの対応
ができる。
さらに、シャツ類へのピンバッジの着用促進が図れる。特にブラウスを着用した女性の清楚さと美を再認識される。そして、胸元が広い開襟シャツの着用時には、周囲の視線をピンバッジに移行させる効果も発揮する。しかも各種ピンバッジのデザインの多様化と販売の拡大化が図れる。
【考案を実施するための最良の形態】
【０００９】
この考案は、シャツ本体のトップボタン取付位置及びこれに対峙するボタン穴に相当する位置にピンバッジのピンが挿入できるピンホールを形成し、そのピンホールの中心と第２ボタン縦孔の中心を同一線上に合わせ、シャツ本体のボタン取付け側ピンホールの裏面にピン受け台座保護布片を取付け、ピンバッジのピンをボタン穴位置とボタン取付位置のピンホールに差し込んでシャツ本体の裏側で受けるピン受け台座を保護布片で覆うようにする。
【実施例】
【００１０】
次に、この考案の実施例を図面に従って説明する。図において、１はシャツ本体であり、ワイシャツやカッターシャツ（図１）、ブラウス(図５)、開襟シャツ（図６）等任意である。２はシャツの衿、３は衿台、４はシャツ本体１の前身頃におけるトップ(最上部)のボタンの取付け位置に形成したピンバッジのピンを挿入するピンホール、５は当該ピンホール４に対峙する横長のボタン穴５′の内側寄りの位置に設けたピンバッジのピンを挿入するピンホールであり、そのピンホール５の中心と第２ボタン縦長の穴６の中心を同一線上に位置するように設定する。この場合、前記のボタン穴５′の内側寄りを糸ｔで縫い付けてピンホール５をボタン穴５′と分断しておくことができる（図３）。または、ボタン穴５′の位置に穴を開けずにしておき、その未開の穴位置５"の内側寄りにだけピンホール５を開けることもできる（図４）。前記の横ボタン穴５′の長さＬを既存の長さの４分の３程度に設定することを可とする（図３、図４）。これによって短くした分ピンバッジを装着したときに当該ボタン穴のずれが目立たなくなる。
【００１１】
７はシャツ本体１のボタン取付側ピンホール２の裏面に縫着して取り付けたピン受け台座の保護布、８はピンバッジ、９はピンバッジのピンであり、シャツの生地を４〜５枚程度重ねて刺し通せる長さであれば良く、なるべく短め(例えば10ｍｍ以下)に設定する。１０はピン９を掴持する受け台座であり、できる限り厚さを薄く成形してある。図１において、１１はシャツ本体１の右身頃12に設けた第２以下のボタン、１２は左身頃11に設けたポケットを示す。
【００１２】
「具体的な着用例１」
上記実施例のもとに図１、図２及び図８〜図１３のワイシャツやカッターシャツの襟台の両端部に設けてあるトップボタン位置にピンバッジ８を装着する場合について説明する。
【００１３】
まず、シャツ本体１のトップボタンの取付位置にピンバッジのピン挿通用のピンホール２を形成してある。そして、これに対峙するトップの横長ボタン穴５′の内側寄りにピンバッジ８のピン挿通用のピンホール４を形成してある。
前記のピンホール４の裏側にはピンバッジ８のピン受け台座１０の保護布片７が縫着されていて、ピンバッジ８を装着したときにそのピン受け台座１０が肌に直接触れるのを防いでいる。
【００１４】
図５は女性用ブラウスにピンバッジ８を装着する場合を示し、ピンバッジのそれぞれのピンホール４・５の位置やピン受け座１０の保護布片７の縫着位置等は１・２図のワイシャツの場合と同じである。なお、当該女性用ブラウスにあっては、男性用ワイシャツと異なり、前身頃１′の左身頃11と右身頃12の重なり合う上下位置が逆になっている。そのため、ボタン取付位置とボタン穴の位置も男性用ワイシャツ等とは反対になる。
【００１５】
図６は女性用の開襟シャツにピンバッジ８を装着する場合を示し、ピンバッジ８の各ピンホール４・５の位置やピン受け座１０の保護布片７の縫着位置等は図１〜図３のワイシャツの場合と同じである。なお、開襟シャツの場合は、前見頃１′の左右上部が衿台２と共に外側に開いているのでトップボタン穴位置に穴が開いていてもそのボタン穴にはボタン掛けしないため、第２ボタン穴及び第２ボタンの取付位置に前身頃の右身頃12のボタン穴６・６′又はボタン穴側のピンホール５・５′、ボタン取付位置側のピンホール４と、左身頃11において、前記右身頃12のボタン穴６・６′又はボタン穴側のピンホール５・５′、ボタン取付位置側のピンホール４に対峙する位置にそれぞれピンホールを設ける。また、図７のボタン穴６・６′の場合、既存のボタン穴６の長さ方向を未開の穴としておき、その中央部に長さに短い穴６′をあけておくと、ピンバッジ８を装着したときのずれに対応することができる。
なお、同図の女性用開襟シャツの場合は、男性用ワイシャツと異なり、前身頃１′の左身頃11と右身頃12の重なり合う上下位置が逆になっている。
【００１６】
図８〜図１２はシャツ本体1の裏側に縫着したピンバッジ８のピン受け座１０の保護布片７であり、これによって、ピンバッジ８を装着したときにピン受け座１０が直接肌に触れることを防いでいる。その保護布片の縫着は下辺又は側辺等任意である。
また、図１３は、図６に示す既製の開襟シャツタイプにおける第２ボタンに相当するボタン穴が横向きになっている場合を示し、且つ縦向きの第３ボタン穴５′の中心線上の位置にピンバッチ用ピンホール５を形成してある。また、図１４は既製の開襟シャツタイプにおける第２ボタンに相当する縦向きのボタン穴６の一部をピンバッチ用ピンホール６′の部分を残して縫着したもの示す。図１５は、ピンバッチ装着専用の開襟シャツにおける第２ボタンとボタン穴としてピンバッチ用ピンホール４・５を形成したものを示す。
【図面の簡単な説明】
【００１７】
【図１】この考案をワイシャツに適用した第１実施例の正面図。
【図２】図１のワイシャツのトップボタン取付位置のピンホール及びボタン穴とピンホールの関係を示す拡大正面図。
【図３】図２のシャツのボタン穴とそのボタン穴部におけるピンホールの拡大図。
【図４】図３の変形例を示す拡大図。
【図５】この考案の女性用ブラウスに適用した第２実施例の正面図。
【図６】この考案の女性用開襟シャツに適用した第３実施例の正面図。
【図７】図６のピンバッジを装着するボタン穴の拡大図。
【図８】図１のボタン取付位置におけるピンホールの裏側に縫着した保護布片の正面図。
【図９】図８の９−９線に沿う断面図。
【図１０】図８の保護布片の変形例を示す正面図。
【図１１】図４のピンバッジの装着状態を示す拡大正面図。
【図１２】図１１の１２−１２線の断面図。
【図１３】図６のボタン穴に横向きのボタン穴の一部にピンホールを形成した開襟シャツの一部を示す正面図。
【図１４】図６のボタン穴に縦向きのボタン穴の一部にピンホールを形成した開襟シャツの一部を示す正面図。
【図１５】開襟シャツの第２ボタンとボタン穴に相当する位置にピンホールを形成した開襟シャツの一部を示す正面図。
【符号の説明】
【００１８】
１……シャツ本体
１′…前身頃
２……衿台
３……衿
４……シャツ本体のトップボタン取付位置におけるピンバッジ用ピンホール
５……シャツ本体のトップボタン穴の内側に位置するピンバッジ用ピンホール
５′…既存のトップボタン横長穴
６……ボタン穴
７……ピン受け台座の保護布
８……ピンバッジ
９……ピンバッジのピン
１０……ピンバッジのピン受け座
１１……ボタン
【図１】
0003143461.tif 000003
【図２】
0003143461.tif 000004
【図３】
0003143461.tif 000005
【図４】
0003143461.tif 000006
【図５】
0003143461.tif 000007
【図６】
0003143461.tif 000008
【図７】
0003143461.tif 000009
【図８】
0003143461.tif 000010
【図９】
0003143461.tif 000011
【図１０】
0003143461.tif 000012
【図１１】
0003143461.tif 000013
【図１２】
0003143461.tif 000014
【図１３】
0003143461.tif 000015
【図１４】
0003143461.tif 000016
【図１５】
0003143461.tif 000017